(57)【要約】【課題】簡単な構成即ち被嵌取付部は樹脂成形可能にして従来通り容易に成形可能であると共に、取付杆の先端部に極めて簡易な加工を施すことで、カード装着具を取付杆に一律に回り止め係止でき引き抜き方向にも確実に抜け止め係止された状態で被嵌固定でき、しかも単なる溶接固定に比べて取り付けが容易であるばかりでなく、取付杆への切欠凹部の形成はバラツキなく行なえるため、前記被嵌取付部の回り止め係止によって、バラツキなく所定の表示向きに一律に取付固定できる画期的な商品陳列具用のカード装着具を提供すること。【解決手段】商品１の上端部に設けた通孔２を通して多数の商品１を吊り下げ陳列する棒状ハンガー３の上部に配設する取付杆４に被嵌する被嵌取付部５に、カード６を装着するカード装着部７を回動自在に設けた商品陳列具用のカード装着具において、前記被嵌取付部５の内側に前記取付杆４が係合する係合部８を設け、この係合部８に前記取付杆４の先端部に形成した切欠凹部９に係止する回り止め並びに抜け止め用の係止突部１０を設けた商品陳列具用のカード装着具。【選択図】        図２
2004275298.tif 000002
【特許請求の範囲】
【請求項１】
商品の上端部に設けた通孔を通して多数の商品を吊り下げ陳列する棒状ハンガーの上部に配設する取付杆に被嵌する被嵌取付部に、カードを装着するカード装着部を回動自在に設けた商品陳列具用のカード装着具において、前記被嵌取付部の内側に前記取付杆が係合する係合部を設け、この係合部に前記取付杆の先端部に形成した切欠凹部に係止する回り止め並びに抜け止め用の係止突部を設けたことを特徴とする商品陳列具用のカード装着具。
【請求項２】
前記被嵌取付部の内側に下側開口部から前記取付杆を圧入係合し得る前記係合部を設け、この係合部に前記係止突部を対向状態に突出形成し、前記係合部に前記取付杆を圧入係合する際、この左右の係止突部が前記取付杆の先端部に形成した前記切欠凹部に挿入されるように構成して、この係止突部と前記切欠凹部との係止によって、被嵌取付部が前記取付杆の先端部に回り止め係止並びに抜け止め係止されるように構成したことを特徴とする請求項１記載の商品陳列具用のカード装着具。
【請求項３】
前記カード装着部には前記カードを貼着するカード貼着板面を設けると共に、カードカバー部を着脱自在に設ける係止部を設けて前記カード貼着板面に重合するカードを前記カードカバー部で覆い前記カード貼着板面と前記カードカバー部とにより前記カードを支持し得るように構成して、前記カード装着部は前記カード貼着板面にカードを貼着する若しくはカード貼着板面上のカードを前記カードカバー部により支持するいずれの方式でもカードを装着し得るように構成したことを特徴とする請求項１，２のいずれか１項に記載の商品陳列具用のカード装着具。
【請求項４】
前記カード装着部のカード貼着板面の縁部に前記カードカバー部を着脱自在に設ける前記係止部を設け、このカードカバー部を前記係止部により設けた際、このカードカバー部と前記カード貼着板面との間にカードを挿入し得る挿入スリットが形成されるように構成すると共に、前記カードカバー部は前記カードを視認できる形状若しくは透視可能な材質としたことを特徴とする請求項３記載の商品陳列具用のカード装着具。
【発明の詳細な説明】
【０００１】
【発明の属する技術分野】
本発明は、例えばフックハンガー等の商品陳列具に、商品表示カード，商品広告カードやプライスカード等のカードを装着表示するためのカード装着具（カードホルダー）に関するものである。
【０００２】
【従来の技術及び発明が解決しようとする課題】
パッケージされた商品の上部の通孔を順次通して商品を前方へ取り出し可能に吊り下げ陳列する棒状ハンガー（フックハンガー）が、商品陳列具として多用されている。
【０００３】
この棒状ハンガーの上部には、上部バーが平行に設けられ、この上部バーを取付杆としてその先端部（前端部）に樹脂製の被嵌取付部を被嵌し、この被嵌取付部にカードを装着するカード装着部を回動自在に設けたカード装着具を設けている。
【０００４】
このカード装着具のカード装着部は、例えば上部バーに被嵌固定した被嵌取付部に垂下し、このカード装着部に設けるカードによって、商品・プライス・広告等を表示するように構成するが、高さスペースを抑えるために、このカード装着部を棒状ハンガーにできるだけ近づけて垂下配設しつつ、被嵌取付部に対して上下方向に回動自在（起伏自在）に軸着垂下し、下部バーとなる前記棒状ハンガーに沿って商品を前方へ引き出す場合には商品の移動により上方へ退避回動されるように構成している。
【０００５】
しかしながら、従来のカード装着具は、単に被嵌取付部を上部バーの前端部に樹脂の弾性を利用して圧入固定するにすぎないため、簡単な構成ではあるが、上部バーに対して抜け止め固定されていないことから、上部バーの長さ方向に位置ズレし易く、抜け外れたり、また回り止め固定されていないため、各カード装着部の表示向きにバラツキを生じ易く、カードの表示が適切に行なえず、体裁も悪い場合を生じる。
【０００６】
本発明は、このような現状に鑑み、簡単な構成即ち被嵌取付部は樹脂成形可能にして従来通り容易に成形可能であると共に、取付杆の先端部に極めて簡易な加工を施すことで、カード装着具を取付杆に一律に回り止め係止でき引き抜き方向にも確実に抜け止め係止された状態で被嵌固定でき、しかも単なる溶接固定に比べて取り付けが容易であるばかりでなく、取付杆への切欠凹部の形成はバラツキなく行なえるため、前記被嵌取付部の回り止め係止によって、バラツキなく所定の表示向きに一律に取付固定できる画期的な商品陳列具用のカード装着具を提供することを目的としている。
【０００７】
しかも、更に本発明では、カードを装着部のカード貼着面に貼着する方式でも、また貼着せずに着脱自在に設けるカードカバー部で保持する方式でもカードを装着可能な一層画期的な商品陳列具用のカード装着具を提供することを目的としている。
【０００８】
【課題を解決するための手段】
添付図面を参照して本発明の要旨を説明する。
【０００９】
商品１の上端部に設けた通孔２を通して多数の商品１を吊り下げ陳列する棒状ハンガー３の上部に配設する取付杆４に被嵌する被嵌取付部５に、カード６を装着するカード装着部７を回動自在に設けた商品陳列具用のカード装着具において、前記被嵌取付部５の内側に前記取付杆４が係合する係合部８を設け、この係合部８に前記取付杆４の先端部に形成した切欠凹部９に係止する回り止め並びに抜け止め用の係止突部１０を設けたことを特徴とする商品陳列具用のカード装着具に係るものである。
【００１０】
また、前記被嵌取付部５の内側に下側開口部から前記取付杆４を圧入係合し得る前記係合部８を設け、この係合部８に前記係止突部１０を対向状態に突出形成し、前記係合部８に前記取付杆４を圧入係合する際、この左右の係止突部１０が前記取付杆４の先端部に形成した前記切欠凹部９に挿入されるように構成して、この係止突部１０と前記切欠凹部９との係止によって、被嵌取付部５が前記取付杆４の先端部に回り止め係止並びに抜け止め係止されるように構成したことを特徴とする請求項１記載の商品陳列具用のカード装着具に係るものである。
【００１１】
また、前記カード装着部７には前記カード６を貼着するカード貼着板面１１を設けると共に、カードカバー部１２を着脱自在に設ける係止部１３を設けて前記カード貼着板面１１に重合するカード６を前記カードカバー部１２で覆い前記カード貼着板面１１と前記カードカバー部１２とにより前記カード６を支持し得るように構成して、前記カード装着部７は前記カード貼着板面１１にカード６を貼着する若しくはカード貼着板面１１上のカード６を前記カードカバー部１２により支持するいずれの方式でもカード６を装着し得るように構成したことを特徴とする請求項１，２のいずれか１項に記載の商品陳列具用のカード装着具に係るものである。
【００１２】
また、前記カード装着部７のカード貼着板面１１の縁部に前記カードカバー部１２を着脱自在に設ける前記係止部１３を設け、このカードカバー部１２を前記係止部１３により設けた際、このカードカバー部１２と前記カード貼着板面１１との間にカード６を挿入し得る挿入スリット１４が形成されるように構成すると共に、前記カードカバー部１２は前記カード６を視認できる形状若しくは透視可能な材質としたことを特徴とする請求項３記載の商品陳列具用のカード装着具に係るものである。
【００１３】
【発明の実施の形態】
好適と考える本発明の実施の形態（発明をどのように実施するか）を、図面に基づいてその作用効果を示して簡単に説明する。
【００１４】
カード装着部７を回動自在に設けた被嵌取付部５を、棒状ハンガー３の上部の取付杆４に被嵌すると共に、この取付杆４の先端部に形成した切欠凹部９に被嵌取付部５の係合部８に設けた回り止め並びに抜け止め用の係止突部１０を挿入係止する。
【００１５】
従って、カード装着部７と被嵌取付部５とからなるカード装着具は、単に取付杆４に被嵌取付部５の係合部８を被嵌することで固定されるだけでなく、取付杆４の切欠凹部９と係合部８の係止突部１０との係止によって取付杆４に対して回り止め係止固定されると共に抜け止め係止固定されることとなる。
【００１６】
それ故、取付杆４から抜け外れることはなく、またこの方向に位置ズレすることなく、しかも回り止めされるから、前記取付杆４の切欠凹部９の加工を一律に行なうことで、バラツキなく所定の表示向きに一律に取付でき、所望の適切な作動がなされる。即ち、商品取り出し時におけるカード装着部７の退避回動やこのカード装着部７によるカード表示効果が損なわれることがなく、このように適切な作動が行なえる位置にバラツキなく容易にカード装着部７を位置決め固定できることとなる。
【００１７】
従って、本発明は従来通り被嵌取付部５を樹脂成形するに際して係合部８と共に係止突部１０を成形し、取付杆４には例えば単に切欠凹部９を切削あるいはプレス成形するだけで、前記位置決め固定を行なうことができ、しかも単なる溶接固定に比べて取り付けが容易であるばかりでなく、取付杆への切欠凹部の形成はバラツキなく行なえるため、前記被嵌取付部の回り止め係止によって、バラツキなく所定の表示向きに一律に取付固定できる極めて実用性に秀れた画期的な商品陳列具用のカード装着具となる。
【００１８】
また、前記カード装着部７には前記カード６を貼着するカード貼着板面１１を設けると共に、カードカバー部１２を着脱自在に設ける係止部１３を設けて前記カード貼着板面１１に重合するカード６を前記カードカバー部１２で覆い前記カード貼着板面１１と前記カードカバー部１２とにより前記カード６を支持し得るように構成すれば、カードカバー部１２を取り外す（あるいは後に取り付けても良いが）ことで、カード貼着板面１１にカード６を貼着する方式でも、カード６は貼着せずカードカバー部１２を取り付けて、このカード６とカードカバー部１２との間にカード６を保持する方式のいずれの方式でもカード６をカード装着部７に装着でき、一層実用性に秀れることとなる。
【００１９】
【実施例】
本発明の具体的な実施例について図面に基づいて説明する。
【００２０】
本実施例では、取付部１５に上部バーと下部バーとを並設状態に突設し、この下部バーをフックハンガーとしての棒状ハンガー３とし、上部バーを商品１の取り出し時に回動させて高さスペースを抑えることができるようにするカード装着具の取付杆４として設け、パッケージされた商品１の上端部に設けた通孔２を前記棒状ハンガー３に順次通して多数の商品１を吊り下げ陳列するように構成し、この棒状ハンガー３の上部に配設する前記取付杆４の先端部に被嵌する被嵌取付部５と、この被嵌取付部５に回動自在に設けるカード６を装着するためのカード装着部７とから成る商品陳列具用のカード装着具に本発明を適用している。
【００２１】
具体的には、被嵌取付部５並びにカード装着部７は樹脂成形品であり、この被嵌取付部５は断面Ｕ字状として内側に下側開口部から前記取付杆４を圧入係合し得る係合部８を設け、この係合部８に係止突部１０を対向状態に中央側に向けて突出形成し、前記係合部８に前記取付杆４を圧入係合する際、この左右の係止突部１０が、前記取付杆４の先端部周面の対向位置に垂直方向に凹設カットして形成された切欠凹部９に挿入されるように構成して、この係止突部１０と前記切欠凹部９との係止によって、被嵌取付部５が前記取付杆４の先端部に長さ方向にほとんど位置ズレしない状態で抜け止め係止され、且つ回り止め係止されるように構成している。
【００２２】
また、この被嵌取付部５の前端部外面に設けた軸部に、表面にカード貼着板面１１を設けたカード装着部７の基板体の軸着部を軸着して、被嵌取付部５（取付杆４）に対して起伏回動自在にカード装着部７を垂下し、商品１を棒状ハンガー３に沿って取り出す際には、カード装着部７は上方へ退避回動するように構成している。
【００２３】
また、このカード装着部７の基板体表面には前述のように前記カード６を貼着するカード貼着板面１１を設けると共に、カードカバー部１２を着脱自在に設ける係止部１３を設けて前記カード貼着板面１１に重合するカード６を前記カードカバー部１２で覆い前記カード貼着板面１１と前記カードカバー部１２とにより前記カード６を支持し得るように構成して、前記カード装着部７は前記カード貼着板面１１にカード６を貼着する若しくはカード貼着板面１１上のカード６を貼着しないで前記カードカバー部１２により支持するいずれの方式でもカード６を装着し得るように構成している。
【００２４】
具体的には、前記カード装着部７のカード貼着板面１１（基板体）の縁部に前記カードカバー部１２をスライド重合して着脱自在に設ける重合ガイドともなる前記係止部１３を設け、このカードカバー部１２を前記係止部１３によりカードカバー部１２をカード装着部７にスライド重合して係止取り付けできるようにし、取り付けた際には、このカードカバー部１２と前記カード貼着板面１１との間にカード６を挿入し得る挿入スリット１４が形成されるように構成し、前記カードカバー部１２は前記カード６を視認できる透視可能な材質としている。
【００２５】
従って、カードカバー部１２を用いなければ、カード貼着板面１１にカード６を貼着して設けても良いし、貼着しない場合は、カードカバー部１２をスライド係止取り付けして挿入スリット１４からカード６を挿入し支承保持させてカード６を設けることもできる。
【００２６】
尚、本発明は、本実施例に限られるものではなく、各構成要件の具体的構成は適宜設計し得るものである。
【００２７】
【発明の効果】
本発明は上述のように構成したから、簡単な構成即ち被嵌取付部は樹脂成形可能にして従来通り容易に成形可能であると共に、取付杆の先端部に極めて簡易な加工を施すことで、カード装着具を取付杆に一律に回り止め係止でき引き抜き方向にも確実に抜け止め係止された状態で被嵌固定でき、しかも単なる溶接固定に比べて取り付けが容易であるばかりでなく、取付杆への切欠凹部の形成はバラツキなく行なえるため、前記被嵌取付部の回り止め係止によって、バラツキなく所定の表示向きに一律に取付固定できる画期的な商品陳列具用のカード装着具となる。
【００２８】
また、請求項２記載の発明においては、一層簡易な構成で確実に本発明の作用・効果を発揮する極めて画期的な商品陳列具用のカード装着具となる。
【００２９】
また、請求項３記載の発明においては、カードカバー部を取り外す（あるいは後に取り付けても良いが）ことで、カード貼着板面にカードを貼着する方式でも、カードカバー部を取り付けて、このカードとカードカバー部との間にカードを保持する方式のいずれの方式でもカードをカード装着部に装着でき、一層実用性に秀れた画期的な商品陳列具用のカード装着具を提供することとなる。
【００３０】
また、請求項４記載の発明においては、一層簡易な構成で確実に本発明の作用・効果を発揮する極めて画期的な商品陳列具用のカード装着具となる。
【図面の簡単な説明】
【図１】本実施例の使用状態を示す斜視図である。
【図２】本実施例の説明分解斜視図である。
【図３】本実施例のカード保持方式を示す分解斜視図である。
【図４】本実施例の使用状態を示す説明側面図である。
【図５】本実施例の使用状態における退避回動を示す説明側面図である。
【図６】本実施例の使用状態における要部の説明正断面図である。
【図７】本実施例の使用状態における要部の説明裏面図である。
【図８】本実施例の使用状態のカードカバー部のスライド着脱を示す要部の説明正面図である。
【符号の説明】
１  商品
２  通孔
３  棒状ハンガー
４  取付杆
５  被嵌取付部
６  カード
７  カード装着部
８  係合部
９  切欠凹部
１０  係止突部
１１  カード貼着板面
１２  カードカバー部
１３  係止部
１４  挿入スリット
【図１】
2004275298.tif 000003
【図２】
2004275298.tif 000004
【図３】
2004275298.tif 000005
【図４】
2004275298.tif 000006
【図５】
2004275298.tif 000007
【図６】
2004275298.tif 000008
【図７】
2004275298.tif 000009
【図８】
2004275298.tif 000010